(57)【要約】  温度検知装置１は、センサ５０と、外側に向かって突出する突起４６を有する回転ケース４０と、第１の収納空間２１及び第２の収納空間２２が形成された固定ケース２０と、ストッパ３０と、を備え、ストッパ３０は、回転ケース４０が回転して突起４６が当たることにより、突起４６に押されて回転し、固定ケース２０の内壁に接触して回転が停止することにより、回転ケース４０の回転を停止させる。このため、温度検知装置１は、温度を検知する範囲を広げることができ、また、温度を検知する範囲の補正を的確に行うことができる。更に、ストッパ３０が突起受け部３４を有し、第２の収納空間２２が腕収納空間２２ｂを有し、腕収納空間２２ｂが、突起４６の幅と突起受け部３４の幅とを加算した値以上の幅を有する場合、温度検知装置１は、物理的に回転できない範囲も回転することができる。このため、温度検知装置１は、少なくとも３６０°の回転が可能となる。
2016098222.tif 000002
【特許請求の範囲】
【請求項１】
温度を検知するセンサと、
前記センサが内部に収納された筒状の回転ケースと、
前記回転ケースは、該回転ケースの外側に向かって突出する突起を有しており、
前記回転ケースを回転自在に収納する第１の収納空間、及び、前記第１の収納空間より外側にあって該第１の収納空間に連続する第２の収納空間が形成された筒状の固定ケースと、
前記第２の収納空間に回転自在に収納され、前記第１の収納空間側に突出したストッパと、を備え、
前記ストッパは、
前記回転ケースが回転して前記突起が当たることにより、前記突起に押されて回転し、前記固定ケースの内壁に接触して回転が停止することにより、前記回転ケースの回転を停止させるものである温度検知装置。
【請求項２】
前記ストッパは、
軸部と、
前記軸部に接続された腕部と、
前記腕部に接続され、前記突起に押されて前記軸部を中心として回転する突起受け部と、を有する請求項１記載の温度検知装置。
【請求項３】
前記固定ケースにおける前記第２の収納空間は、
前記軸部を回転自在に収納する軸収納空間と、
前記軸収納空間から連続して形成され、前記腕部及び前記突起受け部を収納する腕収納空間と、を有し、
前記腕収納空間は、
前記突起の幅と前記突起受け部の幅とを加算した値以上の幅を有する請求項２記載の温度検知装置。
【請求項４】
前記腕収納空間における前記固定ケースの内壁は、
前記腕部及び前記突起受け部の形状に沿って形成されている請求項３記載の温度検知装置。
【請求項５】
前記腕部と前記突起受け部とがなす角度は、鈍角である請求項２〜４のいずれか１項に記載の温度検知装置。
【請求項６】
前記ストッパは、前記突起が当たる面が平面であり、
前記回転ケースにおける前記突起は、
前記ストッパに当たる面が平面である請求項１〜５のいずれか１項に記載の温度検知装置。
【請求項７】
請求項１〜６のいずれか１項に記載の温度検知装置
を備えた空気調和機用室内機。
【発明の詳細な説明】
【技術分野】
【０００１】
本発明は、温度を検出する温度検知装置及びその温度検知装置を有する空気調和機用室内機に関する。
【背景技術】
【０００２】
温度検知装置として、従来より、温度を検知する範囲を規制する回転式温度検知装置が知られている。このような回転式温度検知装置は、例えば、回転部品に設けられた凸形状の突起が、回転部品を保持する部品に設けられた凹凸形状又はリブ形状等の係止部に係止される。これにより、回転式温度検知装置は、回転部品の回転を規制して、温度を検知する範囲を規制している。このような温度検知装置として、例えば、特許文献１には、ガイドリングに回転自在に保持されたセンサケースを備えた人感センサが開示されている。この特許文献１は、センサケースが回転する際、センサケースに設けられたガイド突起が、ガイドリングに形成された円形溝に嵌め込まれてガイドされる。【０００３】
このガイドリングは、円形溝の一部に、螺旋状溝の下端部が接続されている。そして、センサケースは、円形溝と螺旋状溝との接続部分を避けて回転する。具体的には、センサケースは、例えば時計回りに回転しているとき、円形溝と螺旋状溝との接続部分に達する前に停止するように駆動モータが制御され、その後、逆方向の反時計回りに回転するように駆動モータが制御される。そして、センサケースは、反時計回りに回転しているとき、上記接続部分に達する前に停止するように駆動モータが制御され、その後、時計回りに回転するように駆動モータが制御される。このように、センサケースは、円形溝と螺旋状溝との接続部分を避けつつ、時計回りの回転と反時計回りの回転とを繰り返している。
【先行技術文献】
【特許文献】
【０００４】
【特許文献１】特開２０１２−４２１８３号公報
【発明の概要】
【発明が解決しようとする課題】
【０００５】
しかしながら、特許文献１に開示された人感センサは、センサケースが、円形溝と螺旋状溝との接続部分を避けて回転するため、接続部分の幅の分だけ、温度を検知する範囲が狭まる。【０００６】
また、センサケースは、駆動モータの回転数の制御によってのみ、回転及び停止するものである。このため、センサケースが回転しているときに、外力が加わって余計に回転すると、停止位置が、予め設定された停止位置からずれてしまう。一方、センサケースが回転しているときに、意図せず停止した場合も、停止位置が、予め設定された停止位置からずれてしまう。このため、センサケースの停止位置の補正、即ち、人感センサが温度を検知する範囲の補正を、センサケースが回転する度に行う必要がある。【０００７】
本発明は、上記のような課題を背景としてなされたもので、温度を検知する範囲が広がり、また、温度を検知する範囲の補正を的確に行うことができる温度検知装置及びその温度検知装置を有する空気調和機用室内機を提供するものである。
【課題を解決するための手段】
【０００８】
本発明に係る温度検知装置は、温度を検知するセンサと、センサが内部に収納された筒状の回転ケースと、回転ケースは、回転ケースの外側に向かって突出する突起を有しており、回転ケースを回転自在に収納する第１の収納空間、及び、第１の収納空間より外側にあって第１の収納空間に連続する第２の収納空間が形成された筒状の固定ケースと、第２の収納空間に回転自在に収納され、第１の収納空間側に突出したストッパと、を備え、ストッパは、回転ケースが回転して突起が当たることにより、突起に押されて回転し、固定ケースの内壁に接触して回転が停止することにより、回転ケースの回転を停止させるものである。
【発明の効果】
【０００９】
本発明の温度検知装置によれば、ストッパは、回転ケースが回転して突起が当たることにより、突起に押されて回転し、固定ケースの内壁に接触して回転が停止することにより、回転ケースの回転を停止させる。このため、温度検知装置は、温度を検知する範囲を広げることができ、また、温度を検知する範囲の補正を的確に行うことができる。【００１０】
また、温度検知装置は、例えばストッパが、軸部と腕部と突起受け部とを有し、例えば第２の収納空間が、軸収納空間と腕収納空間とを有し、腕収納空間が、突起の幅と突起受け部の幅とを加算した値以上の幅を有するように構成することもできる。この場合、温度検知装置は、物理的に回転できない範囲も回転することができる。このため、温度検知装置は、少なくとも３６０°の回転が可能となる。更に、例えばこの温度検知装置を備える空気調和機用室内機は、その前方だけでなく、据え付けている壁面、側面、下方等、室内全域の温度検知が可能となる。そして、その検知結果に基づいた空調制御が行われることにより、更に快適且つ省エネの空調が可能となる。【００１１】
更に、温度検知装置は、例えばストッパの突起が当たる面が平面であり、突起のストッパに当たる面が平面であるように構成することもできる。この場合、突起とストッパとの接触が平面で行われるため、温度検知装置の回転範囲の位置把握及び位置補正を正確に行うことが可能となる。
【図面の簡単な説明】
【００１２】
【図１】本発明の実施の形態１に係る空気調和機用室内機２を示す分解斜視図である。
【図２】本発明の実施の形態１に係る空気調和機用室内機２を示す断面図である。
【図３】本発明の実施の形態１に係る温度検知装置１を示す分解斜視図である。
【図４】本発明の実施の形態１に係る温度検知装置１を示す組立斜視図である。
【図５】本発明の実施の形態１に係る温度検知装置１を示す正面図である。
【図６】本発明の実施の形態１に係る温度検知装置１を示す断面図である。
【図７】本発明の実施の形態１に係る温度検知装置１を示す断面図である。
【図８】本発明の実施の形態１に係る温度検知装置１を示す断面図である。
【図９】本発明の実施の形態１に係る温度検知装置１の動作を示す断面図である。
【図１０】本発明の実施の形態１に係る温度検知装置１の動作を示す断面図である。
【図１１】本発明の実施の形態１に係る温度検知装置１の動作を示す断面図である。
【図１２】本発明の実施の形態１に係る温度検知装置１の動作を示す断面図である。
【図１３】本発明の実施の形態１に係る温度検知装置１の動作を示す断面図である。
【図１４】本発明の実施の形態１に係る温度検知装置１の動作を示す断面図である。
【発明を実施するための形態】
【００１３】
以下、本発明に係る温度検知装置及び空気調和機用室内機の実施の形態について、図面を参照しながら説明する。なお、以下に説明する実施の形態によって本発明が限定されるものではない。また、図１を含め、以下の図面では各構成部材の大きさの関係が実際のものとは異なる場合がある。
【００１４】
実施の形態１．
図１は、本発明の実施の形態１に係る空気調和機用室内機２を示す分解斜視図である。この図１に基づいて、空気調和機用室内機２について説明する。図１に示すように、空気調和機用室内機２は、背面筐体３と、筐体４と、熱交換器５と、送風ファン６と、電気品ユニット７と、吹出ユニット８と、前面意匠パネル１０とを有している。背面筐体３は、例えば一方の面が室内の壁に取り付けられるものであり、他方の面に筐体４が螺子等により取り付けられる。なお、筐体４には、温度検知装置１が挿入される開口部（図示せず）が形成されている。
【００１５】
そして、熱交換器５、送風ファン６及び電気品ユニット７は、背面筐体３と筐体４との間の空間に設けられ、背面筐体３に取り付けられている。電気品ユニット７の例えば側部等には、温度検知装置１が設けられており、温度検知装置１は、筐体４における開口部から突出しており、これにより、空気調和機用室内機２の下方に突出する。また、吹出ユニット８は、背面筐体３の下部に取り付けられており、空気調和機用室内機２の下面を構成している。更に、空気調和機用室内機２の上面には、吸入口９ａが形成されている。そして、前面意匠パネル１０は、筐体４に着脱自在且つ開閉自在に取り付けられており、空気調和機用室内機２の前面を構成している。
【００１６】
図２は、本発明の実施の形態１に係る空気調和機用室内機２を示す断面図である。図２に示すように、背面筐体３における風路壁３ａは、送風ファン６の回転により生じた風を、吹出ユニット８へ送る役割をしている。また、吹出ユニット８は、風向調整板８ａを有しており、風向調整板８ａの上方には、吹出口８ｂが形成されている。なお、空気調和機用室内機２は、その後方に設けられた接続管１１によって、空気調和機用室外機（図示せず）に接続されている。
【００１７】
送風ファン６は、吸入口９ａから室内空気を吸い込み、吸い込まれた室内空気は、熱交換器５によって冷媒と熱交換されて、冷気又は暖気となる。そして、送風ファン６は、冷気又は暖気を、吹出ユニット８に送風する。その際、背面筐体３における風路壁３ａによって、送風ファン６から送風された冷気又は暖気が、吹出ユニット８側に円滑に流通する。そして、冷気又は暖気は、吹出ユニット８における吹出口８ｂから室内に吹き出される。なお、風向調整板８ａは、上下方向に揺動することによって、送風ファン６から送風された冷気又は暖気が室内に吹き出されるときの上下方向における風向きを調整する。
【００１８】
次に、温度検知装置１について説明する。図３は、本発明の実施の形態１に係る温度検知装置１を示す分解斜視図である。図３に示すように、温度検知装置１は、固定ケース２０と、ストッパ３０と、回転ケース４０と、センサ５０とを有している。更に、温度検知装置１は、ギア６０と、カバー７０と、モータ８０とを有している。
【００１９】
固定ケース２０は、筒状の管部２５を有しており、内部には、第１の収納空間２１、第２の収納空間２２及び第３の収納空間２３が形成されている。第１の収納空間２１は、回転ケース４０を回転自在に保持するものであり、第２の収納空間２２は、第１の収納空間２１より外側にあって第１の収納空間２１に連続して形成されており、ストッパ３０を収納するものである。また、第３の収納空間２３は、第１の収納空間２１から外側に連続して形成されており、ギア６０を収納するものである。
【００２０】
ストッパ３０は、円柱状をなす軸部３１と、軸部３１の先端に接続され外側に突出する先端部３２とを有している。そして、ストッパ３０は、固定ケース２０における第２の収納空間２２に回転自在に収納され、先端部３２が第１の収納空間２１側に突出している。
【００２１】
回転ケース４０は、筒状をなしており、内部にセンサ５０が収納される。回転ケース４０は、頭部４１と、胴部４２とを有しており、頭部４１は、ギア６０に噛み合うように歯車状をなしている。また、頭部４１と胴部４２との間には、環状のフランジ部４３が形成されている。胴部４２は、頭部４１よりも細径であり、胴部４２の上部には突起４６（図８参照）と、センサ５０を回転ケース４０に固定するセンサ受け部４５とが設けられ、胴部４２の下部にはスリット４４が設けられている。そして、回転ケース４０は、固定ケース２０における第１の収納空間２１に収納されており、回転自在に固定ケース２０に保持されている。なお、回転ケース４０における胴部４２の先端部は、固定ケース２０における管部２５から露出している。
【００２２】
センサ５０は、温度を検知するものであり、回転ケース４０の内部に収納されている。そして、センサ５０における検知部５１は、回転ケース４０における胴部４２のスリット４４に対応する位置に設置されている。センサ５０には、凸部５２が設けられており、凸部５２が、回転ケース４０におけるセンサ受け部４５に係止されることにより、センサ５０が回転ケース４０に固定される。そして、検知部５１は、スリット４４を介して室内の温度を検知する。
【００２３】
ギア６０は、歯車状をなしており、モータ８０の駆動力を回転ケース４０に伝達するものである。ギア６０は、固定ケース２０における第３の収納空間２３に収納され、ギア６０の歯車と回転ケース４０における頭部４１とが噛み合って、モータ８０の駆動力を回転ケース４０に伝達する。
【００２４】
カバー７０は、ストッパ３０、回転ケース４０、センサ５０及びギア６０が、固定ケース２０に収納された状態で、固定ケース２０に取り付けられて、ストッパ３０、回転ケース４０、センサ５０及びギア６０を覆うものである。
【００２５】
モータ８０は、回転ケース４０を回転させる駆動力を発生するものであり、円筒状をなしている。モータ８０は、先端に回転軸８２を有しており、この回転軸８２がギア６０に接続されている。そして、モータ８０は、螺子８１によってカバー７０に取り付けられている。
【００２６】
図４は、本発明の実施の形態１に係る温度検知装置１を示す組立斜視図、図５は、本発明の実施の形態１に係る温度検知装置１を示す正面図である。上記のとおり、ストッパ３０、回転ケース４０、センサ５０及びギア６０が収納された固定ケース２０にカバー７０が取り付けられ、モータ８０が取り付けられることにより、図４，図５に示すように、温度検知装置１が構成されている。
【００２７】
図６は、本発明の実施の形態１に係る温度検知装置１を示す断面図であり、図４のＡ−Ａ断面図である。また、図７は、本発明の実施の形態１に係る温度検知装置１を示す断面図であり、図４のＢ−Ｂ断面図である。図６，図７に示すように、固定ケース２０は、内部が第１の収納空間２１となる管部２５を有しており、管部２５は、その内部に回転ケース４０の頭部４１が配置される第１の管部２６と、第１の管部２６よりも縮径され、上端に回転ケース４０のフランジ部４３が載置される第２の管部２７と、第２の管部２７よりも縮径された第３の管部２８とを有している。このように、第２の管部２７は、回転ケース４０のフランジ部４３が載置され、これにより、回転ケース４０は、固定ケース２０に保持される。なお、ストッパ３０の先端部３２は、回転ケース４０のフランジ部４３の下方に位置している。
【００２８】
図８は、本発明の実施の形態１に係る温度検知装置１を示す断面図であり、図５のＣ−Ｃ断面図である。図８に示すように、センサ５０が内部に収納された回転ケース４０は、外側に突出する突起４６を有しており、突起４６の先端は、固定ケース２０の内壁の間際まで延びている。また、ストッパ３０は、前述の如く、軸部３１と先端部３２とを有しており、更に、先端部３２は、腕部３３と突起受け部３４とを有している。腕部３３は、軸部３１に接続され、突起受け部３４は、腕部３３に接続されている。突起受け部３４は、突起４６に押されて軸部３１を中心として回転するものである。そして、軸方向視において、腕部３３と突起受け部３４とがなす角度は、鈍角である。なお、腕部３３と突起受け部３４とがなす角度は、鋭角でもよいし、０度でもよい。
【００２９】
固定ケース２０における第２の収納空間２２は、軸収納空間２２ａと腕収納空間２２ｂとを有している。軸収納空間２２ａは、ストッパ３０における軸部３１を回転自在に収納するものである。また、腕収納空間２２ｂは、軸収納空間２２ａから連続して形成され、ストッパ３０における腕部３３及び突起受け部３４を収納するものである。なお、突起受け部３４の先端部は、腕収納空間２２ｂから第１の収納空間２１にはみ出している。前述の如く、突起４６は、固定ケース２０の内壁の間際まで延びているため、突起受け部３４は、回転ケース４０が回転する際、突起４６に接触する。
【００３０】
腕収納空間２２ｂは、突起４６の幅と突起受け部３４の幅とを加算した値以上の幅を有しており、第１の収納空間２１に向かうに従って拡幅されている。即ち、腕収納空間２２ｂにおける固定ケース２０の一方の内壁２４ａから他方の内壁２４ｂまでの距離が、突起４６の幅と突起受け部３４の幅とを加算した値以上の幅である。これにより、ストッパ３０における突起受け部３４は、腕収納空間２２ｂにおいて、突起４６の幅と突起受け部３４の幅とを加算した値以上の分だけ、回転する。このように、軸方向視において、腕収納空間２２ｂにおける固定ケース２０の一方の内壁２４ａと他方の内壁２４ｂとのなす角度によって、回転ケース４０が回転する範囲が調整される。これにより、温度検知装置１が温度を検知する範囲が規制される。
【００３１】
また、腕収納空間２２ｂにおける固定ケース２０の内壁は、腕部３３及び突起受け部３４の形状に沿って形成されている。即ち、固定ケース２０における一方の内壁２４ａは、腕部３３における一方の側面３３ａ及び突起受け部３４における一方の側面３４ａに沿って形成されている。また、固定ケース２０における他方の内壁２４ｂは、腕部３３における他方の側面３３ｂ及び突起受け部３４における他方の側面３４ｂに沿って形成されている。なお、突起受け部３４における一方の側面３４ａ及び他方の側面３４ｂは平面であり、突起４６における一方の側面４６ａ及び他方の側面４６ｂも平面である。即ち、ストッパ３０は、突起４６が当たる面が平面であり、回転ケース４０における突起４６は、ストッパ３０に当たる面が平面である。
【００３２】
次に、本発明の実施の形態１に係る温度検知装置１の動作について説明する。先ず、回転ケース４０が時計回りに回転するときの動作について説明する。図９，図１０，図１１は、本発明の実施の形態１に係る温度検知装置１の動作を示す断面図であり、回転ケース４０が時計回りに回転するときの動作を示す図である。図９に示すように、回転ケース４０が時計回りに回転していくと、回転ケース４０における突起４６の一方の側面４６ａが、ストッパ３０における突起受け部３４における他方の側面３４ｂに接触する。そして、回転ケース４０が引き続き時計回りに回転していくと、図１０に示すように、突起４６の一方の側面４６ａが突起受け部３４を押していく。その後、回転ケース４０が引き続き時計回りに回転していくと、図１１に示すように、突起４６の一方の側面４６ａが突起受け部３４を押していき、やがて、突起受け部３４の一方の側面３４ａが、腕収納空間２２ｂにおける固定ケース２０の一方の内壁２４ａに係止される。これにより、回転ケース４０及びストッパ３０の回転が停止する。
【００３３】
次に、回転ケース４０が反時計回りに回転するときの動作について説明する。図１２，図１３，図１４は、本発明の実施の形態１に係る温度検知装置１の動作を示す断面図であり、回転ケース４０が反時計回りに回転するときの動作を示す図である。図１２に示すように、回転ケース４０が反時計回りに回転していくと、回転ケース４０における突起４６の他方の側面４６ｂが、ストッパ３０における突起受け部３４における一方の側面３４ａに接触する。そして、回転ケース４０が引き続き反時計回りに回転していくと、図１３に示すように、突起４６の他方の側面４６ｂが突起受け部３４を押していく。その後、回転ケース４０が引き続き反時計回りに回転していくと、図１４に示すように、突起４６の他方の側面４６ｂが突起受け部３４を押していき、やがて、突起受け部３４の他方の側面３４ｂが、腕収納空間２２ｂにおける固定ケース２０の他方の内壁２４ｂに係止される。これにより、回転ケース４０及びストッパ３０の回転が停止する。
【００３４】
次に、本発明の実施の形態１に係る温度検知装置１の作用について説明する。上記のとおり、ストッパ３０は、回転ケース４０が回転して突起４６が当たることにより、突起４６に押されて回転し、固定ケース２０の内壁に接触して回転が停止することにより、回転ケース４０の回転を停止させる。このように、回転ケース４０は、ストッパ３０が回転する分だけ、その回転角度を広げることができる。このため、温度検知装置１が温度を検知する範囲を広げることができる。また、回転ケース４０は、モータ８０の回転数の制御によらず、ストッパ３０が固定ケース２０の内壁に係止されることにより、停止する。そして、回転ケース４０における突起４６は、ストッパ３０に物理的に接触する。このため、回転ケース４０における突起４６がストッパ３０を押し、ストッパ３０が固定ケース２０の内壁に係止された状態を基準として、回転ケース４０の停止位置を正確に把握することができる。従って、温度検知装置１が温度を検知する範囲の補正を的確に行うことができる。
【００３５】
また、固定ケース２０における腕収納空間２２ｂは、回転ケース４０における突起４６の周方向の幅とストッパ３０における突起受け部３４の周方向の幅とを加算した値以上の周方向の幅を有している。このため、ストッパ３０は、その幅の分だけ回転し、それに伴い、回転ケース４０も、その幅の分だけ回転する。ストッパ３０が回転せずに固定されている場合、突起４６の幅とストッパ３０の幅とを加算した分だけ、回転ケース４０は回転することができない。従って、突起４６の幅とストッパ３０の幅とを加算した分だけ、温度を検知する範囲が狭まる。
【００３６】
これに対し、本実施の形態１に係る温度検知装置１は、ストッパ３０が、突起４６の幅と突起受け部３４の幅とを加算した値以上の分だけ、回転する。このため、突起４６の幅と突起受け部３４の幅とを加算した値以上の分だけ、温度を検知する範囲を広げることができる。このように、温度検知装置１における回転ケース４０は、３６０度以上回転することができるが、これに限定せず、腕収納空間２２ｂにおける固定ケース２０の一方の内壁２４ａと他方の内壁２４ｂとのなす角度、ストッパ３０における腕部３３の長さと突起受け部３４の長さ、又は、腕部３３と突起受け部３４とのなす角度等を適宜変更することにより、回転ケース４０の回転角度を任意に設定することができる。また、回転ケース４０が３６０度だけ回転するようにしてもよい。
【００３７】
また、温度検知装置１における回転ケース４０は、３６０度以上回転することができるため、温度検知装置１を有する空気調和機用室内機２は、その前方だけでなく、据え付けられた室内の壁側である後方、側方、下方等の室内の全域において、温度を検知することができる。そして、温度を検知した結果に基づく制御が行われることにより、快適且つ省エネルギに資する空気調和が実現できる。
【００３８】
更に、軸方向視において、ストッパ３０における腕部３３と突起受け部３４とがなす角度は、鈍角である。これにより、腕部３３と突起受け部３４とのなす角度が鋭角である場合よりも、腕部３３と突起受け部３４とが占める幅を狭めることができる。従って、腕部３３と突起受け部３４とを収納する腕収納空間２２ｂを省スペース化することができる。また、ストッパ３０における腕部３３と突起受け部３４とがなす角度が鈍角であることにより、腕部３３と突起受け部３４とのなす角度が０度である場合よりも、ストッパ３０の回転半径を短くすることができる。従って、腕部３３と突起受け部３４とを収納する腕収納空間２２ｂを省スペース化することができる。
【００３９】
更にまた、ストッパ３０は、突起４６が当たる面が平面であり、突起４６は、ストッパ３０に当たる面が平面である。突起４６が、上下側方における動作の支障を抑制するために角が落とされた半球状をなしている場合、突起４６がストッパ３０の突起受け部３４に当たっても、突起４６と突起受け部３４との接触面積が小さい。このため、突起受け部３４は、突起４６を停止させ難い。これに対し、本実施の形態１に係る温度検知装置１は、ストッパ３０は、突起４６が当たる面が平面であり、突起４６は、ストッパ３０に当たる面が平面であるため、突起４６と突起受け部３４との接触面積が大きい。このため、突起受け部３４は、適切に突起４６を停止させることができる。従って、温度検知装置１が温度を検知する範囲の補正を的確に行うことができる。
【００４０】
また、本実施の形態１においては、温度検知装置１が温度を検知する範囲補正は、回転開始時の初期位置を検知する時、定期的な位置の補正を行う時等に行えばよく、回転ケース４０が、回転の向きを変える度に行う必要はない。
【００４１】
なお、本実施の形態１では、モータ８０の駆動力は、モータ８０に接続されたギア６０を介して、回転ケース４０に伝達されているが、モータ８０が回転ケース４０に直接取り付けられ、モータ８０の駆動力が直接回転ケース４０に伝達されてもよい。また、モータ８０の駆動力は、ギア６０以外の別の部品を用いて、回転ケース４０に伝達されてもよい。
【符号の説明】
【００４２】
１  温度検知装置、２  空気調和機用室内機、３  背面筐体、３ａ  風路壁、４  筐体、５  熱交換器、６  送風ファン、７  電気品ユニット、８  吹出ユニット、８ａ  風向調整板、８ｂ  吹出口、９ａ  吸入口、１０  前面意匠パネル、１１  接続管、２０  固定ケース、２１  第１の収納空間、２２  第２の収納空間、２２ａ  軸収納空間、２２ｂ  腕収納空間、２３  第３の収納空間、２４ａ  一方の内壁、２４ｂ  他方の内壁、２５  管部、２６  第１の管部、２７  第２の管部、２８  第３の管部、３０  ストッパ、３１  軸部、３２  先端部、３３  腕部、３３ａ  一方の側面、３３ｂ  他方の側面、３４  突起受け部、３４ａ  一方の側面、３４ｂ  他方の側面、４０  回転ケース、４１  頭部、４２  胴部、４３  フランジ部、４４  スリット、４５  センサ受け部、４６  突起、４６ａ  一方の側面、４６ｂ  他方の側面、５０  センサ、５１  検知部、５２  凸部、６０  ギア、７０  カバー、８０  モータ、８１  螺子、８２  回転軸。
【図１】
2016098222.tif 000003
【図２】
2016098222.tif 000004
【図３】
2016098222.tif 000005
【図４】
2016098222.tif 000006
【図５】
2016098222.tif 000007
【図６】
2016098222.tif 000008
【図７】
2016098222.tif 000009
【図８】
2016098222.tif 000010
【図９】
2016098222.tif 000011
【図１０】
2016098222.tif 000012
【図１１】
2016098222.tif 000013
【図１２】
2016098222.tif 000014
【図１３】
2016098222.tif 000015
【図１４】
2016098222.tif 000016
【国際調査報告】
2016098222.tif 000017
2016098222.tif 000018
2016098222.tif 000019
2016098222.tif 000020
2016098222.tif 000021
2016098222.tif 000022